(57)【要約】【課題】ＡＣインレットあるいはアウトレットの周囲を化粧版などで覆われた電子機器本体であってもこのインレット或いはアウトレットにＡＣコードを確実に固定できるＡＣコード脱落防止具を提供する。【解決手段】ＡＣコード脱落防止具１０は、装着具３０とＡＣコードのプラグ４０を固定する固定具５０とを備えている。化粧板１３のインレット用開口部１５の設計余裕によるインレット或いはアウトレットの周辺部２０ｃとの間に装着する装着具３０を本体１２と化粧板１３で挟み込み片３５を挟んで固定することで装着具３０が安定して本体１２に装着されるたインレット或いはアウトレットに装着される（固定される）。【選択図】図６
2011187334.tif 000002
【特許請求の範囲】
【請求項１】
装置表面の凹部に組み込まれ周囲を化粧板で覆われたあるいは組み込まれた装置を部品として組み込んだ本体装置の筐体外周材に覆われたＡＣインレット或いはアウトレットに挿し込まれたＡＣコードのＡＣプラグが前記インレット或いははアウトレットから抜け落ちないように固定するＡＣコード脱落防止具において、
前記装置表面と前記化粧板あるいは前記本体装置外周材間に装着される装着具と、
該装着具と前記ＡＣコードとを固定する固定具とを備えたことを特徴とするＡＣコード脱落防止具。
【請求項２】
前記装着具は、
前記インレット或いはアウトレットのＡＣプラグを挿し込む凹部の周縁部の周囲と前記インレット或いはアウトレットと前記化粧板あるいは前記本体装置筐体外周材の隙間に挿し込む隣接する辺が連結した４枚の矩形の板状部材からなるものであり、
これら板状部材の裾部板状部材から垂直に立ち上がる挟み込み片が前記インレット或いはアウトレットと前記化粧板或いは前記本体装置筐体外周材に挟み込まれて固定される装着装置と前記固定具とを備えたことを特徴とする請求項１に記載のＡＣコード脱落防止具。
【請求項３】
前記装着具は、
前記インレット或いはアウトレット周囲の１辺と隣り合う２辺の長手方向半分弱とを囲む３枚の板状の矩形面で構成された装着素子２個を向かい合わせて構成することで前記隣り合う２辺の寸法がより大きなインレットにも柔軟に装着可能にした前記挟み込み片を備えた装着具と前記固定具とを備えたことを特徴とする請求項１に記載のＡＣコード脱落防止具。
【請求項４】
前記固定具は、
その長手方向に沿って鋸歯状戻止刻みを備え一端に抜け止めを備えた平板状の合成樹脂係止紐と戻止付送り爪と戻止解除レバーを備えた合成樹脂製締め具と押さえ金具とからなるものであり、
該固定具と前記装着具を備えたことを特徴とする請求項１又は２又は３に記載のＡＣコード脱落防止具。
【請求項５】
前記固定具は、
一端に先端近くにＥリング装着用溝を設けた屈曲部を備え他端に雄ネジを備えた屈曲係止棒と内部長手方向に雌ネジを供えた筒状ツマミとを備えた押付具と孔付ツマミ受金具とからなる固定具で、
該固定具と前記装着具を備えたことを特徴とする請求項１又は２又は３に記載のＡＣコード脱落防止具。
該装着具と前記固定具を備えたことを特徴とする請求項１又は２又は３に記載のＡＣコード脱落防止具。
【請求項６】
前記固定具は
ＡＣプラグの付け根を囲むように押え付ける略コの字形の針金状の押付金具において、前記コの字の閉塞中央部に隣り合う側部の夫々が閉塞中央部両端からの長さが前規側部が乗るＡＣプラグ肩部分の辺の長さの半分の1.5倍乃至2倍であり、その先端の延長線部分が一旦コの字の外側に直角に屈曲し、前記コの字部分を水平に置いたとき一端下側に前記コの字部分に対し８０度乃至８５度の確度で屈曲し、更にその延長部分が直角に屈曲して前記側部に対して略平行状の腕部として折り返させ、腕部に水平状の環を設けて係止棒と雌ネジツマミを係止でき或いはその先端部分が直角上方向に屈曲したことで腕部に市販の合成樹脂性結束紐を掛けるか本発明の戻止付送具或いは孔付ツマミ受金具を嵌め込んで装着できると共に、前記８０度乃至８５度の屈曲確度と前記側部の長さと前記腕部に略平行状に折り返された前記腕部が相まって側部と張り出し部の連結部を支店とする梃子として作用することにより、前記捕捉部全体がより強い力で適切にプラグの肩部分を安定確実に捕捉する押付金具を備えた固定具で、
該固定具と前記装着具を備えたことを特徴とする請求項１又は２又は３に記載のＡＣコード脱落防止具。
【請求項７】
前記装着具は、
薄板金属で形成された装着具に薄板金属板を折り曲げた片面に直径より小さな開口部を折り曲げ部と反対方向に設けた部分円によるＥリング機能を備え、半対面に直径と同じ半円開口部を折り曲げ方向と反対方向に設けた軸受補助具を装着することで係止穴の形状に左右されずに挿し込んだ係止棒の装着具との角度を略直角に保つ軸受補助具を装着した装着具で、
【発明の詳細な説明】
【技術分野】
【０００１】
本発明は、例えば通信機器やパーソナルコンピュータのＡＣインレットに挿し込まれるＡＣコードのプラグがＡＣインレット或いはアウトレットから不用意に脱落することを防止するＡＣコード脱落防止具に関するものである。
【背景技術】
【０００２】
通信機器、計測機器、医療用機器やパーソナルコンピュータなどの電子機器に用いられるコネクタの多くは使用中にコネクタに挿し込んだケーブルが不用意に抜けることが無いように、コネクタ自身に嵌合相手と組になったコネクタ抜けどめが装備されている。このようなコネクタは使用中にコネクタが抜けることは無く、トラブルが発生しないように考慮されている。しかし、一部のコネクタには上記のような抜けどめが装備されていないため抜け易いものがある。このようなコネクタの中には電源ユニットの入出力部に用いられるＡＣインレット或いはアウトレットとＡＣコードとの組み合わせがある。
【０００３】
本来、ＡＣインレット或いはアウトレットに挿し込まれるプラグを備えたケーブルであるＡＣコードは、そのプラグが確実にＡＣインレット或いはアウトレットに挿し込まれ、容易に抜け落ちないことが必要とされるが、実際には脱落防止機構が無いのでＡＣコードがＡＣインレット或いはアウトレットから抜け落ちやすい欠点がある。
【０００４】
この様なＡＣインレット或いはアウトレットに装着することでＡＣコードの脱落を防止できるＡＣコード脱落防止具が考案され提案されている（例えば、特許文献１-文献４参照）。
【０００５】
これらのＡＣコード脱落防止具はＡＣインレット或いはアウトレットを装置に固定するための固定ネジで脱落防止具の一部を共締めしたりＡＣインレット或いはアウトレットと装置間に脱落防止具の一部を挿し込んでＡＣコード脱落防止具をＡＣインレットまたはアウトレットに装着しているが、装置の中には外観を重視するためＡＣインレット或いはアウトレットの周囲を化粧板で覆ったりＡＣインレット或いはアウトレットのＡＣプラグを挿し込む凹部の周辺部のみが露出する開口部を設けてＡＣインレット或いはアウトレットのＡＣプラグ周辺部のみが露出するよう装置を本体装置筐体の内側に固定するものがあり、この目的は外観重視のみに限らず本体装置を利用するものがＡＣインレット或いはアウトレット以外を操作することで生じる装置の信頼性低下や操作誤りなどの危険を防止する目的の場合もある。この様なＡＣインレット或いはアウトレットの周囲が化粧板や本体装置の筐体外周材に覆われている場合は従来のＡＣコード脱落防止具とＡＣインレット或いはアウトレットは互いに捕捉できずＡＣコード脱落防止具を装着できない。また、このような場合にＡＣインレットあるいはアウトレットの実装面に垂直な装置の上下または左右面に粘着テープを用いて脱落防止具を装着するものがあるが粘着テープは恒久的な装着には信頼性に問題があって不向きであると同時に、装置を架に複数段重ねて実装したりスライドレールを用いて筐体を出し入れする用途では粘着テープが擦れて剥離したり破損するなど問題がある。
【０００６】
これらの場合は挿し込み具合が硬いＡＣコードを選ぶことにより、ＡＣコードの脱落を防止しようとしているが、確実性に問題があり、信頼性を必要とする製造装置をはじめインフラ用装置や医療用装置などでは大きな問題になっている。
【先行技術文献】
【特許文献】
【０００７】
【特許文献１】特開平４−１６２９６８号公報
【特許文献２】特開２００８−２４３４０１号公報
【特許文献３】特願２００９−２０９３９５
【特許文献４】特願２００９−２４１８４９
【発明の概要】
【発明が解決しようとする課題】
【０００８】
ＡＣインレット或いはアウトレットの装置への固定方法にはネジ止め固定型と非ネジ止めの挿し込み固定型があるが、ＡＣインレット或いはアウトレットの周囲を化粧板や本体装置の筐体外周材で覆った装置ではＡＣインレット或いはアウトレットの固定ネジやＡＣインレット或いはアウトレットと装置が形成する僅かな接触部の隙間部も化粧板や本体装置の筐体外周材に概ね覆われているために従来のＡＣコード脱落防止具は何れの固定型においても、自身をＡＣインレット或いはアウトレットに装着するための装着具がＡＣインレット或いはアウトレットを直接捕捉することができない。
【０００９】
またＡＣインレット或いはアウトレットの周囲を化粧板や本体装置の筐体外周材で覆った装置では外観重視の場合には容易にネジの追加は許されず、安全性や信頼性を重視する場合も同様にネジ追加は好ましくなく従来のＡＣコード脱落防止具では自身をＡＣインレット或いはアウトレットに装着するための装着具がＡＣインレット或いはアウトレットを捕捉することができない。更にまた化粧板や本体装置の筐体外周材の下にどのような仕掛けが存在するかも分からず、また実装用に新たなビスなどを利用するための穴あけによる切屑の装置内への侵入の危険際もあり好ましくなく、更に装置の加工によるメーカ保証の打切りもありえるため、不用意にＡＣコード脱落防止具装着用のネジ孔の新たな追加もできず、有効なＡＣコード脱落防止策の実現が困難である。
【００１０】
更にまたＡＣインレット或いはアウトレットの周囲を化粧板や筐体外周材で覆った装置に粘着テープを利用して脱落防止具を装着した場合は粘着材の劣化が付きまとい恒久性が確保できず問題が有り信頼性を要求される場合は利用できない。
【００１１】
このために、ＡＣインレット或いはアウトレットの周囲を化粧板や筐体外周材で覆った装置ではＡＣコード脱落防止具無しでＡＣコード脱落事故の危険性を内在したまま使用されてきた設備が多々があるのが現状である。
【００１２】
本発明は、上記事情に鑑み、
【００１３】
（１）ＡＣインレット或いはアウトレットの周囲を化粧板や本体装置の筐体外周材で覆った装置のＡＣインレット或いはアウトレットにＡＣコード脱落防止具の装着具を新たな追加ネジなしに、同時に粘着テープや粘着材の使用無しに固定する仕掛けを考案することにより、ＡＣインレット或いはアウトレットの周囲を化粧板や本体装置の筐体外周材で覆った装置においても確実なＡＣコードの脱落を防止できると共に、
【００１４】
（２）今までＡＣインレット或いはアウトレットの周囲を化粧板や本体装置の筐体外周材で覆った装置のＡＣインレット或いはアウトレットに使用できるＡＣコード脱落防止具が無いために、既にＡＣコード脱落防止具なしで製造され稼動している多くの装置にＡＣコードがＡＣインレット或いはアウトレットから抜け落ちないように固定するための固定部材を提供する。
【００１５】
（３）本発明の新たな固定具によるＡＣコード脱落防止具の他に、既に一般化していて実用化されている一般的な周知の固定具も組み合わせることができる柔軟性高い係止方法を備えた装着具を提供することによりＡＣインレット或いはアウトレットの周囲を化粧板や本体装置の筐体外周材で覆った装置により柔軟性を確保した製品を可能にすることを目的とする。
【課題を解決するための手段】
【００１６】
上記目的を達成するための本発明のＡＣコード脱落防止具は、装置の凹部に組み込まれ周囲を化粧板で覆われた或いは組み込まれた装置を部品として組み込んだ本体装置の筐体外周材に覆われたＡＣインレット或いはアウトレットに挿し込まれたＡＣコードが前記インレット或いはアウトレットから抜け落ちないようにＡＣコードを固定するＡＣコード脱落防止具において、
（１）ＡＣインレット或いはアウトレット自体のＡＣコードのプラグ挿し込み部周縁部の周囲部４面に密着またはほぼ密着して固定具係止を可能にする係止部を備え、同時に前記装置と化粧板間或いは前記装置と前記装置を部品として組み込んだ本体装置の筐体外周材間に挟みこみ辺により挟まって装着され固定される装着具と、
（２）該装着具と前記ＡＣコードとを固定する前記固定具とを備えたことを特徴とするものである。
【００１７】
ここで、前記装着具は、
（３）前記ＡＣインレット或いはアウトレットのＡＣプラグを挿入する凹部の周縁部の周囲部が作る四辺形に各片を含む４面に密着或いはほぼ密着する互いに連結した４枚の矩形の板状部材からなり、該４枚の板状部材が連結されたことで形成された２つの閉じた四辺形の縁部の一方には前記各矩形の板状部材に垂直に外側方向に立ち上がった裾部を挟み込み片として備えたものであり、
（４）これら矩形の板状部材の向かい合った２面には、前記固定具が係止される孔が形成されているものであってもよい。
【００１８】
また、前記装着具は、
（５）前記ＡＣインレット或いはアウトレットのＡＣプラグ挿し込み用凹部周縁部の周囲部が作る四辺形の長辺を含む壁面の一つと長辺に隣り合い向かい合う短辺を含むの壁面の計３面に密着或いはほぼ密着する略コの字型に連結した３枚の矩形の板状部材からなり、前記短辺側の向かい合う２枚は長手方向の寸法が前記短辺の壁面長手方向寸法の半分弱であって、略コの字型の縁部の一方には前記各矩形の板状部材に垂直に外側方向に立ち上がった裾部を挟み込み片として備えた装着素子２個を向かい合わせることで構成する装着具であってもよく、
（６）前記装着素子を構成する中央の矩形面の板状部材には、前記固定具が係止される孔が形成されているものであってもよく、
【００１９】
（７）記略装着素子を構成する中央の矩形面の板状部材の裾部に対向するの辺の長手方向中央部には矩形面を延長した略台形状の張出し延長部を備えていてもよく、
【００２０】
（８）装着具を構成する３面の中央の矩形面の板状部材の前記台形状の張り出しの両側縁部には該矩形面に垂直に好ましくは略コの字の内側方向に立ち上がった矩形面で装着素子の強度強化を図ったものであってもよく、
【００２１】
（９）前記固定具が係止される係止孔は前記略台形の張出部に形成されているものであってもよい。
【００２２】
ここで、前記固定具は、
（１０）中央閉塞部に略コの字型のＡＣプラグ部の肩部を抑えるプラグ押さえを備えたワイヤ状で、その長手方向部延長部は屈曲後ＡＣインレット或いはアウトレット方向に向かう脚部を有し、脚部先端の屈曲部を前記装着部の係止孔に挿し込まれるものであっても良い。
【００２３】
また、前記固定具は、
（１１）通称タイラップまたはロックタイと呼ばれる市販の合成樹脂性結束紐２本と、
（１２）これら２本の合成樹脂性結束紐の夫々を前記装着具の向かい合う板状部材２枚の係止孔に夫々貫通して形成した輪が引っ掛けられる腕部がその長手方向両端部付近に形成された押付金具とを備えたものであってもよい。
【００２４】
またここで、前記固定具は、
（１３）前記の２本の市販の合成樹脂製結束紐に替え、その長手方向一端の片面にその長手方向他端から前記装着具の係止孔に挿し込まれたとき通り抜けることがないよう係止孔より大きな寸法の抜け止めを備える共に、その長手方向の抜け止めを備えた面の半対の片面には他端に向けて長手方向に沿って抜け止め方向に斜傾した鋸歯状刻み部を備えた２本の平板状の合成樹脂製係止紐と、
（１４）これら２本の合成樹脂性係止紐の夫々の長手方向他端が挿し込まれて送られたとき送り爪を前記鋸歯状刻み部に押付けて送り戻りを防止するとともに、そのレバーを前記合成樹脂性係止紐から吹き離す方向に押すことで送り爪を前記鋸歯状刻み部から引き離して戻り止めを解除する解除レバーを合成樹脂性係止紐挿入孔側に備えた２個の戻止付送具と、
（１５）前記２個の戻止付送具の夫々をその長手方向両端付近に嵌め込むことができる腕部が形成された前記ＡＣプラグの肩部をＡＣインレット或いはアウトレットに向けて押さえ付ける押付金具とを備えたものであってもよい。
【００２５】
また更に、前記固定具は、
（１６）その長手方向一端の屈曲部が前記装着具の孔に挿し込まれて係止されると共に抜け止めとしてＥリングを装着できる溝を屈曲部先端付近に備え、その長手方向他端には先端まで雄ネジが形成された２本のＬ字型の屈曲棒状の係止棒と、
（１７）これら２本の係止棒夫々の長手方向他端が挿し込まれる孔付ツマミ受部がその長手方向両端部に形成された前記ＡＣコードをＡＣインレット或いはアウトレットに向けて押さえ付ける押付金具と、
（１８）前記雄ネジにネジ込まれて前記押付金具を前記ＡＣインレット或いはアウトレットに向けて押さえ付ける雌ネジを内面軸方向に備えた筒状ツマミとを備えたものであってもよく、
【００２６】
（１９）筒状ツマミの外周部全体又は一部にツマミを指で摘んで廻すときの滑り止め用のローレットを施しても良い。
【００２７】
また更に、前記固定具は、
（２０）その長手方向一端の屈曲部が前記装着具の係止孔に挿し込まれて係止されると共に抜け止めとしてＥリングを装着できる溝を屈曲部先端付近に備え、その長手方向他端には先端まで雄ネジが形成された２本のＬ字型の屈曲棒状の係止棒と、
（２１）これら２本の係止棒夫々の長手方向他端が挿し込まれる挿込孔が設けられた挿入孔付ツマミ受金具を嵌め込むことができる腕部が、その長手方向両端部付近に形成された前記ＡＣコードをＡＣインレット或いはアウトレットに向けて押さえ付ける押付金具と、
（２２）前記雄ネジにねじ込まれて前記押付金具を前記ＡＣインレット或いはアウトレットに向けて押さえ付ける雌ネジを内面軸方向に設けた筒状ツマミとを備えたものであってもよく、
【００２８】
（２３）筒状ツマミの外周部全体又は一部にツマミを廻すときの滑り止め用のローレットを施しても良い。
【００２９】
ここで、前記装着部の向かい合う２つの板状面に設けられた係止孔は、
（２４）固定具に合成樹脂性の結束紐を用いる場合は好ましくは長方形であり、
【００３０】
（２５）固定具にワイヤ製の屈曲棒状の係止棒を用いる場合は係止孔に挿し込んだ係止棒が孔を中心に自在に回転可能にするため円形であってもよい。
【００３１】
またここで、前記装着具は、
（２６）ＡＣプラグの肩部を前記固定具の押付金具で確実にＡＣインレット或いはアウトレットに固定するためには、その材質は好ましくは十分な強度を持つステンレス或いはスチールなどで薄板金属であり、
【００３２】
（２７）本発明の前記装着具はＡＣインレット或いはアウトレットとその周囲を覆う化粧板或いは本体装置の筐体外周材との間のＡＣインレット或いはアウトレットのＡＣプラグ挿入用凹部とその周囲を露出させるための開口部の設計上の設計余裕または交差レベルの僅かな隙間を利用して装着し且つ必要な強度を確保するためには、その厚みは好ましくは０．５ミリメートル程度が適切である。
【００３３】
更にまた、屈曲棒状の係止棒を挿し込んだ前記装着部の係止孔は、
（２８）装着具に挿し込まれた屈曲棒状の係止棒と係止孔を設けた板状の矩形面の角度として好ましい直角を極力維持するため前記係止孔部分に装着具の板厚を補う目的の２つ折に折り曲げた金属薄板製の軸受補助具を跨がせてもよい。
【００３４】
ここで前記軸受補助具は、
（２９）二つ折りした面の一つである装着具の外側になる表面部には屈曲係止棒の屈曲部先端付近に設けた前記Ｅリングを装着可能な溝部の径に等しい直径で且つ溝部の直径より小さな開口部を備えた部分円を折り曲げ部と反対方向端に向けて設けてＥリングに代えて装着具に挿し込んだ屈曲係止棒の抜け止めとし、軸受け補助具の二つ折りした他面である裏面部には屈曲係止棒の外周径に等しい直径で且つ直径と等しい開口部が折り曲げ部と反対方向端に向けて設けられた軸受け補助具を装着具の係止孔位置に跨がせてもよく、
【００３５】
更に軸受補助具は、
（３０）合成樹脂製結束紐を固定具に利用するための装着具に設けた四角の孔部に跨がせて、合成樹脂製結束紐用の装着具で屈曲係止棒用を用いることができるようにしてもよい。
【発明の効果】
【００３６】
本発明のＡＣコード脱落防止具では、その周囲を覆う化粧板或いはＡＣインレット或いはアウトレットを実装した装置を組み込んだ本体装置の筐体外周材のＡＣインレット或いはアウトレットを露出させている開口部とＡＣインレット或いはアウトレットとの隙間を通るところの、ＡＣインレット或いはアウトレットのＡＣプラグを挿し込むための凹部の周縁部の周囲４面に接して互いに連続した４枚の矩形の板状部或いは、この４枚の矩形の板状部を２分割した３枚の矩形の板上部材にとる装着素子を２個向かい合わせて装着具としてＡＣインレット或いはＡＣアウトレットに装着することで、前記化粧板或いは前記筐体外周材に覆われた矩形板状部の夫々の裾部に設けられた挟み込み片がＡＣインレット或いはアウトレットを固定した装置表面と前記化粧板或いはアウトレットを固定した装置表面と筐体外周材に挟まれて前記装着部が固定されるため、従来は装着できなかった周囲を化粧板で覆われたＡＣインレットやアウトレット或いはＡＣインレットやアウトレットを実装した装置を部品として組み込んだ本体装置の筐体外周材に覆われたＡＣインレット或いはアウトレットにＡＣコード脱落防止具を装着するための装着具を確実に固定でき、様々な固定具と組み合わせたＡＣコードの脱落防止が可能になる。
【００３７】
この場合、ＡＣインレット或いはアウトレットに新たなＡＣコード脱落防止具を追加するための新たなスペースは不要である。
【００３８】
更に化粧板やＡＣインレットを取り付けた装置を部品として組み込んだ本体装置の筐体外周材に一切の追加加工を施す必要なく既設装置にＡＣコード脱落防止具を後付けができる。
【００３９】
また２分した装着具を２個用いることによって、メーカやモデルによって異なるＡＣインレット或いはアウトレットの寸法の相違を幅広く吸収することができ、更に、既に実用化された可変範囲が大きな固定具を組み合わせることでメーカによって異なるＡＣプラグの寸法の相違に幅広く対応でき、インレット或いはアウトレットまたはＡＣプラグの寸法ごとに行う必要があった寸法あわせが不要なＡＣコード脱落防止具の経済的な提供を可能にする。
【図面の簡単な説明】
【００４０】
【図１】（Ａ）は周囲を覆われた非ネジ止め挿し込み固定型ＡＣインレットの使用例の斜視図であり（Ｂ）はその断面図である。
【図２】（Ａ）は周囲を覆われたネジ止め固定型ＡＣインレットの使用例の斜視図であり（Ｂ）はその断面図である。
【図３】（Ａ）本発明の落防止具の装着具の基本概念を示す装着具実装前の分解斜視図であり（Ｂ）はその装着具実装後の斜視図である。
【図４】（Ａ）本発明の落防止具の装着具の非ネジ止め挿し込み固定型ＡＣインレットにおける実装状態を示す断面図であり（Ｂ）はその断面図である。
【図５】本発明の基本的装着具と基本的固定具による脱落防止具の実施例を示す斜視図である。
【図６】（Ａ）は本発明の２分割した装着具と基本的固定具による脱落防止具の実施例を示す斜視図であり（Ｂ）はその装着具の斜視図である。
【図７】（Ａ）は本発明の強度補強を施して２分割した装着具と非可変固定具の固定具による脱落防止具の実施例を示す斜視図であり（Ｂ）はその装着具を示す斜視図である。
【図８】（Ａ）は本発明の強度補強を施して２分割した装着具と固定具の係止具の一部に合成樹脂製市販の結束紐を組み合わせた脱落防止具の実施例を示す斜視図であり（Ｂ）はその装着具を示す斜視図である。
【図９】（Ａ）は本発明の強度補強を施して２分割した装着具と押付金具に嵌め込む戻止付送具と語平板状係止紐による合成樹脂性締め具で構成した固定具とを組み合わせた脱落防止具の実施例を示す斜視図であり（Ｂ）締め具の合成樹脂製係止紐を示す図であり（Ｃ）は締め具の合成樹脂製戻止送具を示す図である。
【図１０】（Ａ）本発明の強度補強を施して２分割した装着具と筒状ツマミと押付金具と屈曲係止棒で構成した固定具とを組み合わせた脱落防止具の実施例を示す斜視図であり（Ｂ）はその固定具の分解斜視図である。
【図１１】（Ａ）本発明の強度補強を施して２分割した装着具と筒状ツマミと押付金具に装着する挿入孔付つまみ受金具と屈曲係止棒で構成した固定具とを組み合わせた脱落防止具の実施例を示す斜視図であり（Ｂ）その固定具の分解者静である。
【図１２】（Ａ）は本発明の軸受補助具を装着した強度補強を施して２分割した装着具と筒状ツマミと押付金具に装着する挿入孔付つまみ受金具と屈曲係止棒で構成した固定具とを組み合わせた脱落防止具の実施例を示す斜視図であり（Ｂ）装着補助具の正面図とＡ−Ａ’断面図であり（Ｃ）は軸受け補助具を丸い係止孔の装着具に実装した状態の断面図であり（Ｄ）は軸受け補助具を四角い係止孔の装着具に実装した状態の断面図である。
【発明を実施するための形態】
【００４１】
本発明は、ＡＣケーブルが接続されたＡＣプラグを、電子機器の本体凹部に組み込まれたその周囲を化粧板や本体装置の筐体外周材に覆われたＡＣインレット或いはアウトレットに挿し込んで固定するときに使用するＡＣコード脱落防止具に実現された。
【００４２】
なお、本発明のＡＣコード脱落防止具はＡＣインレットにもアウトレットにも全く同様に装着できるので実施形態の説明ではＡＣインレットにおいて行いＡＣアウトレットを用いた説明は省略し、以後の説明ではＡＣインレット或いはアウトレットを単にインレットと記述します。
【実施例１】
【００４３】
図１から図５までを参照して、本発明の実施例１を説明する。
【００４４】
図１は、その周囲が化粧板で覆われた非ネジ止めの挿し込み固定型インレットの本発明適用前の装置への実装状態を示し、（Ａ）はその斜視図であり（Ｂ）はその断面図である。図２はその周囲を化粧板で覆われたネジ止め固定式インレットの本発明適用前の装置への実装状態を示し、（Ａ）はその斜視図であり（Ｂ）はその断面図である。
【００４５】
図１（Ａ）（Ｂ）ならびに図２（Ａ）（Ｂ）から、共にＡＣコードのプラグ部４０が挿し込まれるインレット２０の電極２１が実装された凹部２０ａの周縁部２０ｂが化粧板１３に設けられた開口部１５から露出しているが従来型のＡＣコードの脱落防止具を共締め装着するために利用されるインレット固定ネジ２２ａ、２２ｂや挿し込み装着するための挿し込み片を挿し込むインレットの周縁部２０ｂの下縁とインレット２０を実装した装置の開口部周縁部１２ｂの接触部が露出していないため既存のＡＣコードの脱落防止具を装着できないことが分かる。またインレット２０の露出した周縁部２０ｂとインレットの周囲を覆う化粧板１３の開口部１５はほぼ同じ寸法形状に作られるが、実際にはインレット２０に化粧板１３を被せ易くする目的で化粧板１３の開口部１５には僅かであるが寸法余裕を考慮した設計がなされるのが普通であり、結果としてインレット２０と化粧板１３の開口部１５の縁部１３ｂとの間に隙間１３ｄが存在する。
【００４６】
図３（Ａ）は本発明の装着具３０を化粧板１３に周囲を覆われたインレット２０を実装した装置１２に装着する過程を示す斜視図であり、図３（Ｂ）は上記過程終了後の装着が完了した装着具３０の状態を示す斜視図である。
【００４７】
図４（Ａ）と（Ｂ）とは夫々図１（Ｂ）と図２（Ｂ）とに相対した本発明における装置１２に実装されたインレット２０と化粧版１３の寸法余裕による隙間１３ｄに実装されたＡＣコード脱落防止具の装着具３０が挟み込み片３５によりインレット２０に固定された状態を示す断面図である。
【００４８】
図５は簡単で一般的なワイヤ製の固定具１００に本発明の装着具３０を組み合わせてＡＣプラグ４０をインレット２０に固定した本発明のＡＣコード脱落防止具の使用形態を示す斜視図である。
【００４９】
ＡＣコードのプラグ４０をインレット２０に固定してＡＣコードの脱落を防止するには、先ずＡＣプラグ４０をインレット２０から抜いておき、ビス１４を外して化粧板１３をインレットが実装された装置１２から取り外す。次に本発明の装着具３０をインレット２０の周縁部１２ｂの周辺部１２ｃにほぼ密着させて嵌め込んでインレット２０に仮装着し、その開口部１５に装着具３０の板状の矩形面３１、３２、３３、３４を通した化粧板１３をインレット２０の周囲に被せてビス１４を締め戻して装着具３０をインレット２０に装着固定する。続いてＡＣプラグ４０をインレット２０の凹部２０ａに挿し込んで固定具１００の中央部をＡＣプラグ４０の肩部４２に掛け、両端の脚部１００ａ、１００ａの先端の屈曲部１００ｂ，１００ｂをインレット２０に向けて引っ張りながら装着具３０の固定具係止用の丸孔３１ａ、３３ａに通すことで固定具１００がＡＣプラグ４０をインレットに向かって押さえ付けＡＣプラグ４０が接続されたＡＣコードはインレットからの脱落を防止できる。
【００５０】
ここで、ワイヤ製の固定具１００は容易に変形することがない強度を持つ好ましくはステンレスまたはスチールのワイヤ製とし長手方向両端の夫々の脚部１００ａ、１００ａの先端に外側に屈曲する屈曲部１００ｂ、１００ｂが設けられている。固定具１００の両端の脚部１００ａ、１００ａ間の距離は予め装着具３０の係止用の丸孔３１ａ、３３ａ間の間隔より広めに成形することにより、両脚１００ａ、１００ａの先端の屈曲部１００ｂ、１００ｂを夫々装着具３０の係止用孔３１ａ、３３ａに挿し込むだけで固定具１００は装着具３０に確実に結合される。
【実施例２】
【００５１】
次に図６（Ａ）と図６（Ｂ）を参照して、本発明のＡＣコード脱落防止具の実施例２について説明する。装着具３０に組み合わせた固定具１００は本発明の実施例１で説明した固定具に屈曲部の折り曲げ角度の改良を加えたものである。
【００５２】
図６（Ａ）は装着素子３０ａと３０ｂとに２分割された装着具３０とＡＣコードのプラグ４０を固定した固定具１００で構成した本発明のＡＣコード脱落防止具の使用形態を示す斜視図であり、図６（Ｂ）は２分割した装着素子３０ａと装着素子３０ｂとによる装着具３０の詳細を示す斜視図である。これらの図では、図１から図５までに示す構成要素と同じ構成要素には同じ符号が付されている。
【００５３】
ＡＣコードのプラグ４０をインレット２０に固定してＡＣコードの脱落を防止するには、先ずＡＣプラグ４０をインレットから抜いておき、ビス１４を一端外して化粧版１３を本体から外しておき、装着素子３０ａと３０ｂの長手方向の開放両先端部を向かい合わせインレット２０の周囲部２０ｃに密着或いはほぼ密着させて本体に仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【００５４】
続いて、固定具１００の長手方向両端の脚部１００ａ、１００ａの先端に設けられた屈曲部１００ｂ，１００ｂを装着具３０の固定具係止用の係止孔３１ａ、３３ａに挿し込み、続いて固定具１００の中央部１００ｃを起こしてインレット２０から引き離すように引っ張りながらＡＣコードのプラグ４０の肩部４２に引っ掛けることで固定具１００がＡＣプラグ４０をインレット２０に向かって押さえ付けるので、ＡＣプラグ４０が接続されたＡＣコードは化粧板に何ら加工を加えることなくインレット２０からの脱落を防止できる。
【００５５】
装着具３０を分割した装着素子３０ａ、３０ｂの２つは同じ形状ならびに寸法でインレット２０に装着したとき、板状の矩形面３２ｂと３２ｂならびに３４ａと３４ｂは夫々間に空間ができる寸法に設計されているため寸法が異なるインレット２０にも板状の矩形面３１、３３をインレットに密着あるいはほぼ密着させることができ、装着具３０を好ましくは板厚が０．５ミリメートル程度の金属薄板製とすることで装着具３０は化粧板１３とインレット２０間の化粧板の開口部１５の設計時に考慮された寸法余裕による僅かな隙間１３ｄを利用して実装でき、更に前記板状の矩形面の裾部に垂直に立ち上がった挟み込み部は前記隙間１３ｄを通り抜けることが不可能な寸法に設計されているため化粧板１３や装置１２は一切加工せずに装着具３０をインレット２０に確実に固定でき、その結果ＡＣコードの脱落が防止できる。
【００５６】
同時に、本発明の装着具３０は金属薄板を打ち抜いて折り曲げて製造可能な簡単な構造であり安価に作ることができる。
【００５７】
ここで、固定具１００は容易に変形することがない強度を持つ好ましくはステンレスまたはスチールのワイヤ製で中央部と長手方向に隣り合って直角に曲げられた側部１００ｄとにより略コの字形に成型されたプラグ補足部はＡＣプラグ４０のコード引き出し部４１を囲むように捕捉しながらＡＣプラグの肩部４２を押さえ、さらに夫々前記側部１００ｄの長手方向の隣り合う張り出し部分１００ｅは一旦直角に外側に向けて曲げられ更に直角にインレット方向に曲げられて脚部１００ａ、１００ａに至り、その先端に屈曲部１００ｂ、１００ｂが設けられている。固定具１００の両端の脚部１００ａ、１００ａの距離は予め装着具３０の係止用の丸孔３１ａと３３ａの間隔より広めに成形されているため、両脚１００ａ、１００ａの先端の屈曲部１００ｂ、１００ｂを夫々装着具３０の係止用孔３１ａ、３３ａに挿し込むだけで固定具１００は装着具３０に確実に結合される。また、固定具１００の前記コの字部と両脚１００ａ，１００ａの、脚１００ａ側から押付部を見た相互の角度は直角より多少鋭角、好ましくは８０度から８５度に成形することでＡＣプラグ４０は固定具の押付部により適度にインレットに押し付けられるので都合がよい。
【実施例３】
【００５８】
次に図７（Ａ）と図７（Ｂ）を参照して、本発明のＡＣコード脱落防止具の実施例３について説明する。装着具３０に組み合わせた固定具１００は本発明の実施例２で説明した固定具に同じものである。
【００５９】
図７（Ａ）は装着素子３０ａと３０ｂとに２分割された装着具３０とＡＣコードのプラグ４０を固定した固定具１００とで構成した本発明のＡＣコード脱落防止具の使用形態を示す斜視図であり、図７（Ｂ）は２分割した装着素子３０ａと装着素子３０ｂによる装着具３０の詳細を示す斜視図である。これらの図では、図１から図５までに示す構成要素と同じ構成要素には同じ符号が付されている。
【００６０】
ＡＣコードのプラグ４０をインレット２０に固定してＡＣコードの脱落を防止するには、先ずＡＣプラグ４０をインレットから抜いておき、ビス１４を一端外して化粧版１３を本体１２から外す。続いて２つの装着素子３０ａと３０ｂの長手方向の開放両先端部を向かい合わせインレット２０の周囲部２０ｃを囲み両装着素子の鋸歯状の噛合部３５ａ２１と３５ｂ３１ならびに図７（Ｂ）では３２ａ、３２ｂの影になり見えないが３５ａ３１と３５ｂ２１を夫々、その挟み込み片３５ａ１、３５ａ２、３５ａ３、３５ｂ１、３５ｂ２、３５ｂ３によって装着素子３０ａと３０ｂが化粧板１３に押さえつけられて装置１２に実装されたインレットに固定されるまで相互の連結を維持するよう噛み合わせながらインレット２０の周囲部２０ｃに密着或いはほぼ密着させ仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【００６１】
続いて、固定具１００の長手方向両端の脚部１００ａ、１００ａの先端に設けられた屈曲部１００ｂ，１００ｂを装着具３０の固定具係止用の丸孔３１ａ、３３ａに挿し込み、続いて固定具１００の中央部１００ｃを起こしてインレット２０から引き離すように引っ張りながらＡＣコードのプラグ４０の肩部４２に引っ掛けることで固定具１００がＡＣプラグ４０をインレット２０に向かって押さえ付けるので、ＡＣプラグ４０が接続されたＡＣコードは化粧板に何ら加工を加えることなくインレット２０からの脱落を防止できる。
【００６２】
装着具３０を分割した装着素子３０ａ、３０ｂの２つは同じ形状且つ同じ寸法でインレット２０に装着したとき、板状の矩形面３２ａと３２ｂならびに３４ａと３４ｂは夫々間に空間ができる寸法に設計されているため寸法が異なるインレット２０にも板状の矩形面３１、３３をインレットに密着あるいはほぼ密着させることができ、装着具３０を好ましくは板厚が０．５ミリメートル程度の金属薄板製とすることで装着具３０は化粧板１３とインレット２０間の化粧板の開口部１５の設計時に考慮された寸法余裕による僅かな隙間１３ｄを利用して実装でき、更に前記板状の矩形面の裾部外側に垂直に立ち上がった挟み込み部は前記隙間１３ｄを通り抜けることが不可能な寸法に設計されているため化粧板１３や装置１２は一切加工せずに装着具３０をインレット２０に固定でき、その結果ＡＣコードの脱落を防止できる。
【００６３】
更に装着具３０は板状の矩形面３１、３３の夫々の中央部に挟み込み部の反対方向に台形状の張出部３１ｃ、３３ｃが設けられ、その両脇には矩形面から内側向きに垂直に補強部３１ｄ、３１ｄ、３３ｄ、３３ｄとして折り曲げ部が設けられ装着具を金属薄板製にしたときに、固定具から受ける引張力を挟み込み片３５ａ１、３５ｂ１の全体により分散させると同時に矩形面３１、３３を強化して歪を防ぐことでより確実なＡＣコードの脱落を防止できる。
【００６４】
ここで、固定具１００は容易に変形することがない強度を持つ好ましくはステンレスまたはスチールのワイヤ製で中央部と長手方向に隣り合って直角に曲げられた側部１００ｄとにより略コの字形に成型されたＡＣプラグ４０のコード引き出し部４１を囲むように捕捉しながらＡＣプラグの肩部４２を押さえ、さらに夫々前記側部１００ｄの長手方向の隣り合う張り出し部分１００ｅは一旦直角に外側に向けて曲げられ更に直角にインレット方向に曲げられて脚部１００ａ、１００ａに至り、その先端に屈曲部１００ｂ、１００ｂが設けられている。固定具１００の両端の脚部１００ａ、１００ａの距離は予め装着具３０の係止用の丸孔３１ａ、３３ａ間の間隔より広めに成形されているため、両脚１００ａ、１００ａの先端の屈曲部１００ｂ、１００ｂを夫々装着具３０の係止用孔３１ａ、３３ａに挿し込むだけで固定具１００は装着具３０に確実に結合される。
【００６５】
また、固定具１００のＡＣプラグの肩に乗る部分と両脚１００ａ，１００ａの、脚１００ａ側から押付部を見た相互の角度は直角より多少鋭角、好ましくは８０度から８５度に成形することでＡＣプラグ４０は適度にインレットに止めることができ都合がよい。
【実施例４】
【００６６】
次に図８（Ａ）と図８（Ｂ）を参照して、本発明のＡＣコード脱落防止具の実施例４について説明する。
【００６７】
図８（Ａ）は装着素子３０ａと３０ｂとに２分割された装着具３０とＡＣコードのプラグ４０を固定した固定具１００とで構成した本発明のＡＣコード脱落防止具の使用形態を示す斜視図であり、図８（Ｂ）は２分割した装着素子３０ａと装着素子３０ｂとによる装着具３０の詳細を示す斜視図である。これらの図では、図１から図５までに示す構成要素と同じ構成要素には同じ符号が付されている。
【００６８】
ＡＣコードのプラグ４０をインレット２０に固定してＡＣコードの脱落を防止するには、先ずＡＣプラグ４０をインレットから抜いておき、ビス１４を一端外して化粧版１３を本体から外す。続いて２つの装着素子３０ａと３０ｂの長手方向の開放両先端部を向かい合わせインレット２０の周囲部２０ｃを囲み両装着素子の鋸歯状の噛合部３５ａ２１と３５ｂ３１ならびに図８（Ｂ）では３２ａ、３２ｂの影になり見えないが３５ａ３１と３５ｂ２１を夫々、その挟み込み片３５ａ１、３５ａ２、３５ａ３、３５ｂ１、３５ｂ２、３５ｂ３によって装着素子３０ａと３０ｂが化粧板１３に押さえつけられて装置１２に実装されたインレットに固定されるまで相互の連結を維持するよう噛み合わせながらインレット２０の周囲部２０ｃに密着或いはほぼ密着させ仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【００６９】
続いて２本のタイラップを係止用合成樹脂製結束紐１８０として用い、夫々を装着具３０の向かい合う夫々板状の矩形面３１、３３の張出部に設けられた係止用の好ましくは四角の孔に通し結束紐１８０の先端を戻止めが組み込まれた戻止付送部１８０ｂに通して緩く輪を形成しておく。続いて押付金具１９０の中央部１９０ｃと長手方向に隣り合って直角に曲げられた側部１９０ｄにより略コの字形に成型されたプラグ捕捉部でＡＣプラグ４０のＡＣコード４１の根元部を囲むようにしてＡＣプラグの肩部４２に置き、プラグ捕捉部の夫々の長手方向延長部分の設けられた腕１９０ａ、１９０ａに前記の緩く輪を形成した合成樹脂製結束紐１８０を掛け、夫々を均等に結束紐１８０ａを送って輪を締めることで固定具１００がＡＣプラグ４０をインレット２０に向かって押さえ付けるので、ＡＣプラグ４０が接続されたＡＣコードは化粧板に何ら加工を加えることなくインレット２０からの脱落を防止できる。
【００７０】
装着具３０を分割した装着素子３０ａ、３０ｂの２つは同じ形状且つ同じ寸法でインレット２０に装着したとき、板状の矩形面３２ａと３２ｂならびに３４ａと３４ｂは夫々間に空間ができる寸法に設計されているため寸法が異なるインレット２０にも板状の矩形面３１、３３をインレットに密着あるいはほぼ密着させることができ、装着後は好ましくは板厚が０．５ミリメートル程度の金属薄板製とすることで装着具３０は化粧板１３とインレット２０間の化粧板の開口部１５の設計時に考慮された寸法余裕による僅かな隙間１３ｄを利用して実装でき、更に前記板状の矩形面の裾部外側に垂直に立ち上がった挟み込み部は前記隙間１３ｄを通り抜けることが不可能な寸法に設計されているため化粧板１３や装置１２は一切加工せずに装着具３０をインレット２０に固定でき、その結果ＡＣコードの脱落を防止できる。
【００７１】
更に装着具３０は板状の矩形面３１、３３の夫々の中央部に挟み込み部の反対方向に台形状の張出部３１ｃ、３３ｃが設けられ、その両脇には矩形面から内側向きに垂直に補強部３１ｄ、３１ｄ、３３ｄ、３３ｄとして折り曲げ部が設けられ装着具を金属薄板製にしたときに、固定具から受ける引張力を挟み込み片３５ａ１、３５ｂ１の全体により分散させると同時に矩形面３１、３３を強化して歪を防ぐことでより確実なＡＣコードの脱落を防止できる。
【００７２】
また、押付金具１９０は容易に変形することがない強度を備えた直径２φ以上のステンレスまたはスチールのワイヤ製が好ましく、中央部１９０ｃと隣り合って直角に屈曲した夫々の側部１９０ｄとによる略コの字形のプラグ捕捉部を形成し更に延長部は一旦コの字の両外側の直角に屈曲して張出部１９０ｅ、１９０ｅを形成し、更に水平にした前述捕捉部に対し８０度乃至８５度の角度で縦つなぎ部１９０ｆ、１９０ｆに至り、更に直角に曲げられて側部１９０ｄに略平行状に腕部１９０ａ、１９０ａを形成し、その先端を直角に上方向に屈曲させた屈曲部が形成されている。
【００７３】
前記プラグ捕捉部はＡＣコードのプラグの付根部４１を３方から深く囲むことができる寸法で確実にプラグ４０を捕捉している。また、側部１９０ｄと腕部１９０ａによるプラグ４０の中心を超えて往復しており押付金具１９０の腕部１９０ａが側部１９０ｄと張出部１９０ｅの連接部を支点とした梃子として作用し、また同時に相互の角度を鋭角にした側部１９０ｄと縦つなぎ部１９０ｆの構造により腕部１９０ａが強い力でインレット４０方向に押し付けられたとき前記捕捉部全体はより確実にプラグの肩部４２に押付られる。同時に、腕部１９０ａは両端が上方向に屈曲しているので、腕部１９０ａに係止した結束紐は腕部１９０ａから抜け落ちることが無く安定に係止される。
【実施例５】
【００７４】
次に図９（Ａ）と図９（Ｂ）を参照して、本発明のＡＣコード脱落防止具の実施例５について説明する。装着具３０は本発明の実施例４で説明した装着具に同じものである。
【００７５】
図９（Ａ）は装着素子３０ａと３０ｂに２分割された装着具３０とＡＣコードのプラグ４０を固定した固定具１００とで構成した本発明のＡＣコード脱落防止具の使用形態を示す斜視図であり、図９（Ｂ）は合成樹脂製閉め具の平板上係止紐１８５ａを示し図９（Ｃ）は締め具の合成樹脂製戻止付送具１８５ｂを示す図面である。これらの図では、図１から図５までに示す構成要素と同じ構成要素には同じ符号が付されている。
【００７６】
ＡＣコードのプラグ４０をインレット２０に固定してＡＣコードの脱落を防止するには、先ずＡＣプラグ４０をインレットから抜いておき、ビス１４を一端外して化粧版１３を本体から外す。続いて２つの装着素子３０ａと３０ｂの長手方向の開放両先端部を向かい合わせインレット２０の周囲部２０ｃを囲み両装着素子の鋸歯状の噛合部３５ａ２１と３５ｂ３１ならびに３５ａ３１と３５ｂ２１を夫々、その挟み込み片３５ａ１、３５ａ２、３５ａ３、３５ｂ１、３５ｂ２、３５ｂ３によって装着素子３０ａと３０ｂが化粧板１３に押さえつけられて装置１２に実装されたインレットに固定されるまで相互の連結を維持するよう噛み合わせながらインレット２０の周囲部２０ｃに密着或いはほぼ密着させ仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【００７７】
続いて、合成樹脂製締め具１８５を構成する平板状係止紐１８５ａ２本の夫々を装着具３０の向かい合う夫々の板状の矩形面３１、３３の張出部に設けられた係止用の、好ましくは四角の係止穴に抜け止め部１８５ａ２で止まるまで挿し込んでおく。続いて押付金具１９０の中央部１９０ｃと長手方向に隣り合って直角に曲げられた側部１９０ｄにより略コの字形に成型されたプラグ捕捉部でＡＣプラグ４０のＡＣコード４１の根元部を囲むようにしてＡＣプラグの肩部４２に置き、腕部１９０ａに装着された戻止付送具１８５ｂに前記の平板状の係止紐１８５ａの先端を挿し込み、夫々の係止紐１８５ａを均等に送って押付金具１９０をＡＣプラグの肩部４２に締め付けることで固定具１００がＡＣプラグ４０をインレット２０に向かって押さえ付けるので、ＡＣプラグ４０が接続されたＡＣコードはインレットが実装された装置１２や化粧板１３に何ら加工を加えることなくインレット２０からの脱落を防止できる。
【００７８】
装着具３０を分割した装着素子３０ａ、３０ｂの２つは同じ形状且つ同じ寸法でインレット２０に装着したとき、板状の矩形面３２ａと３２ｂならびに３４ａと３４ｂは夫々間に空間ができる寸法に設計されているため寸法が異なるインレット２０にも板状の矩形面３１、３３をインレットに密着あるいはほぼ密着させることができ、装着具は好ましくは０．５ミリメートル程度の金属薄板製とすることで装着具３０は化粧板１３とインレット２０間の化粧板の開口部１５の設計時に考慮された寸法余裕による僅かな隙間１３ｄを利用して実装でき、更に前記板状の矩形面の裾部に垂直に立ち上がった挟み込み部は前記隙間１３ｄを通り抜けることが不可能な寸法に設計されているため化粧板１３や装置１２は一切加工せずに装着具３０をインレット２０に固定でき、その結果ＡＣコードの脱落を防止できる。
【００７９】
更に装着具３０は板状の矩形面３１、３３の夫々の中央部に挟み込み部の反対方向に台形状の張出部３１ｃ、３３ｃが設けられ、その両脇には矩形面から内側向きに垂直に補強部３１ｄ、３１ｄ、３３ｄ、３３ｄとして折り曲げ部が設けられ装着具を金属薄板製にしたときに、固定具から受ける引張力を挟み込み片３５ａ１、３５ｂ１の全体により分散させると同時に矩形面３１、３３を強化して歪を防ぐことでより確実なＡＣコードの脱落を実現した。
【００８０】
また、押付金具１９０は容易に変形することがない強度を備えた直径２φ以上のステンレスまたはスチールのワイヤ製が好ましく、中央部１９０ｃと隣り合って直角に屈曲した夫々の側部１９０ｄとによる略コの字形のプラグ捕捉部を形成し更に延長部は一旦コの字の両外側の直角に屈曲して張出部１９０ｅ、１９０ｅを形成し、更に水平にした前述捕捉部に対し８０度乃至８５度の角度で下方向に向けて縦つなぎ部１９０ｆ、１９０ｆに至り、更に直角に曲げられて側部１９０ｄに略平行状に腕部１９０ａ、１９０ａを形成し、その先端を直角に上方向に屈曲させた屈曲部が形成されている
【００８１】
前記プラグ捕捉部はＡＣコードのプラグの付根部４１を３方から深く囲むことができる寸法で確実にプラグ４０を捕捉している。また、側部１９０ｄと腕部１９０ａによるプラグ４０の中心を超えて往復しており押付金具１９０の腕部１９０ａが側部１９０ｄと張出部１９０ｅの連接部を支点とした梃子として作用し、また同時に相互の角度を鋭角にした側部１９０ｄと縦つなぎ部１９０ｆの構造により腕部１９０ａが強い力でインレット４０方向に押し付けられたとき前記捕捉部全体はより確実にプラグの肩部４２に押付られる。同時に、脚部１９０ｆと屈曲部１９０ｂは平行に成形されていて前記戻止付送具が都合よくはめ込める。
【実施例６】
【００８２】
次に図１０（Ａ）と図１０（Ｂ）に加え、実施例３の図７（Ｂ）を参照して、本発明のＡＣコード脱落防止具の実施例６について説明する。装着具３０は本発明の実施例３で説明した装着具に同じものである。
【００８３】
図１０（Ａ）は装着素子３０ａと３０ｂとに２分割された装着具３０とＡＣコードのプラグ４０を固定した固定具１００とで構成した本発明のＡＣコード脱落防止具の使用形態を示す斜視図であり、図１０（Ｂ）は固定具１００を分解した斜視図である。これらの図では、図１から図５までに示す構成要素と同じ構成要素には同じ符号が付されている。
【００８４】
ＡＣコードのプラグ４０をインレット２０に固定してＡＣコードの脱落を防止するには、先ずＡＣプラグ４０をインレットから抜いておき、ビス１４を一端外して化粧版１３を本体から外してす。続いて２つの装着素子３０ａと３０ｂの長手方向の開放両先端部を向かい合わせインレット２０の周囲部２０ｃを囲み両装着素子の鋸歯状の噛合部３５ａ２１と３５ｂ３１ならびに３５ａ３１と３５ｂ２１を夫々、その挟み込み片３５ａ１、３５ａ２、３５ａ３、３５ｂ１、３５ｂ２、３５ｂ３によって装着素子３０ａと３０ｂが化粧板１３に押さえつけられて装置１２に実装されたインレットに固定されるまで相互の連結を維持するよう噛み合わせながらインレット２０の周囲部２０ｃに密着或いはほぼ密着させ仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【００８５】
続いて、固定具１００の構成要素である２本の屈曲棒状の係止棒１１０の一端の屈曲部１１０ｂを装着具３０の固定具係止用の丸孔３１ａ、３３ａに夫々挿し込み、Ｅリング３７にて係止棒１１０が装着具３０から抜け落ちるのを防止する。続いて、夫々の屈曲棒状の係止棒１１０の他端の雄ネジ部１１０ａを押付金具１９０の長手方向両端に設けられた略環状の孔付ツマミ受部１９０ｂ１に通し、内部の軸に沿って雌ネジを備えた筒状ツマミ１３０をねじ込む。
【００８６】
続いて固定具１００を起こして押付金具１９０の中央部１９０ｃをＡＣプラグ４０の肩部４２に掛け、２個の筒状ツマミを回して押付金具１９０を均等にＡＣプラグ４０方向に押し付けることで、ＡＣプラグ４０が接続されたＡＣコードはインレットが実装された装置１２や化粧板１３に何ら加工を加えることなくインレット２０からの脱落を防止できる。ＡＣプラグの形状、寸法が異なる場合は筒状ツマミを回して押付金具の位置を広範囲変えることができる。
【００８７】
本実施例は屈曲棒状の係止棒の長さ寸法を３０ミリ程度とし筒状ツマミの長さ寸法を２０ミリ程度とした場合、筒状ツマミを廻して押付金具の位置を変化できる範囲は凡そ２０ミリメートル余りで市販されている一般的な概ね全てのＡＣプラグに共用できるのでプラグごとに固定具を製作する必要がなく便利である。屈曲棒状の係止棒と筒状ツマミの長さを長くすることで更にコの変化範囲は大きくできる。
【００８８】
また、装着具３０を分割した装着素子３０ａ、３０ｂはインレット３０に装着したとき、板状の矩形面３１ａと３２ｂならびに３４ａは夫々間に空間ができる寸法に設計されているためインレット２０の寸法が異なる場合でも板状の矩形面３１、３３はインレットに密着あるいはほぼ密着させることができ、好ましくは板厚が０．５ミリメートル程度の金属薄板製とすることで装着具３０は化粧板１３とインレット２０間の化粧板の開口部設計時に考慮された寸法余裕による僅かな隙間１３ｄに実装でき、更に前記板状の矩形面の裾部に垂直に立ち上がった挟み込み片は前記隙間１３ｄを通り抜けることが不可能な寸法に設計されているため化粧板１３や装置１２は一切加工せずに装着具３０をインレット２０に固定でき、その結果ＡＣコードの脱落を防止できる。
【００８９】
更に装着具３０は板状の矩形面３１、３３の夫々の中央部延長面の挟み込み部の反対方向に台形状の張出部３１ｃ、３３ｃが設けられ、その両脇には矩形面から内側向きに垂直に補強部３１ｄ、３１ｄ、３３ｄ、３３ｄとして折り曲げ部が設けられ装着具を金属薄板製にしたときに、固定具から受ける引張力を挟み込み片３５ａ１、３５ｂ１の全体により分散させると同時に矩形面３１、３３を強化して歪を防ぐことでより確実なＡＣコードの脱落防止を実現した。
【００９０】
また、押付金具１９０は容易に変形することがない強度を備えた直径２φ以上のステンレスまたはスチールのワイヤ製が好ましく、中央部１９０ｃと隣り合って直角に屈曲した夫々の側部１９０ｄとによる略コの字形のプラグ捕捉部を形成し更に延長部は一旦コの字の両外側の直角に屈曲して張出部１９０ｅ、１９０ｅを形成し、更に水平にした前述捕捉部に対し８０度乃至８５度の角度で下に向けて縦つなぎ部１９０ｆ、１９０ｆに至り、更に直角に曲げられて側部１９０ｄに略平行状に腕部１９０ａ、１９０ａを形成し、その先端に略水平に略環状の孔付ツマミ受け部１９０ｂ１、１９０ｂ１が設けられている。
【００９１】
前記プラグ捕捉部はＡＣコードのプラグの付根部４１を３方から深く囲むことができる寸法で確実にプラグ４０を捕捉している。また、側部１９０ｄと腕部１９０ａによるプラグ４０の中心を超えて往復しており押付金具１９０の腕部１９０ａが側部１９０ｄと張出部１９０ｅの連接部を支点とした梃子として作用し、また同時に相互の角度を鋭角にした側部１９０ｄと縦つなぎ部１９０ｆの構造により腕部１９０ａが強い力でインレット４０方向に押し付けられたとき前記捕捉部全体はより確実にプラグの肩部４２に押付られる。
【実施例７】
【００９２】
次に図１１（Ａ）と図１１（Ｂ）を参照して、本発明のＡＣコード脱落防止具の実施例６について説明する。装着具３０は本発明の実施例３で説明した装着具に同じものである。 
【００９３】
図１１（Ａ）は装着素子３０ａと３０ｂとに２分割された装着具３０とＡＣコードのプラグ４０を固定した固定具１００とで構成した本発明のＡＣコード脱落防止具の使用形態を示す斜視図であり、図１１（Ｂ）は本実施例の固定具１００の分解斜視図である。
【００９４】
実施例７の装着具３０は実施例３の装着具に同じものである。また固定具１００を構成する要素であるプラグ押付具２００は実施例４の押付金具１９０に孔付ツマミ受け金具１２０を付加して実施例６と押付金具１９０の共用を図ったものである。これらの図では、図１から図５までに示す構成要素と同じ構成要素には同じ符号が付されている。
【００９５】
ＡＣコードのプラグ４０をインレット２０に固定してＡＣコードの脱落を防止するには、先ずＡＣプラグ４０をインレットから抜いておき、ビス１４を一端外して化粧版１３を本体から外す。続いて２つの装着素子３０ａと３０ｂの長手方向の開放両先端部を向かい合わせインレット２０の周囲部２０ｃを囲み両装着素子の鋸歯状の噛合部３５ａ２１と３５ｂ３１ならびに３５ａ３１と３５ｂ２１を夫々、その挟み込み片３５ａ１、３５ａ２、３５ａ３、３５ｂ１、３５ｂ２、３５ｂ３によって装着素子３０ａと３０ｂが化粧板１３に押さえつけられて装置１２に実装されたインレットに固定されるまで相互の連結を維持するよう噛み合わせながらインレット２０の周囲部２０ｃに密着或いはほぼ密着させ仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【００９６】
続いて、固定具１００の構成要素である２本の屈曲棒状の係止棒１１０の一端の屈曲部１１０ｂを装着具３０の固定具係止用の丸孔３１ａ、３３ａに夫々挿し込み、Ｅリング３７にて係止棒１１０が装着具３０から抜け落ちるのを防止する。続いてその長手方向両端付近の腕部１９０ａに丸孔が設けられたツマミ受け片１２０ｂを乗せて押さえ爪１２０ｃで下から抱きかかえるように曲げて固定した孔付ツマミ受け金具１２０を予め装着した押付金具１９０の中央部１９０ｃと隣り合う側部１９０ｄ、１９０ｄによる略コの字状に成形された部分でＡＣコードの付け根４１を囲むように捕捉しながら前記捕捉棒１１０の雄ネジを設けた他端先端を前記孔付ツマミ受け金具の丸孔に通して筒状ツマミをねじ込む。
【００９７】
続いて２個の筒状ツマミ回して押付金具１９０を均等にＡＣプラグ４０方向に押し付けることで、ＡＣプラグ４０が接続されたＡＣコードは化粧板１３に何ら加工を加えることなくインレット２０からの脱落を防止できる。ＡＣプラグの形状、寸法が異なる場合は筒状ツマミを回して押付金具の位置を広範囲変えることができるので、市販されている概ねのＡＣプラグに共用できるので従来のＡＣプラグのメーカが替わるごとに固定具を作り直して寸法を調整した脱落防止具に比較して大いに便利である。
【００９８】
孔付ツマミ受け金具を装着することで押付金具は実施例５や実施例６のタイラップや締め具で使用するものを共用でき製造コストを低くできる。
【００９９】
更に装着具３０は板状の矩形面３１、３３の夫々の中央部に挟み込み部の反対方向に台形状の張出部３１ｃ、３３ｃが設けられ、その両脇には矩形面から内側向きに垂直に補強部３１ｄ、３１ｄ、３３ｄ、３３ｄとして折り曲げ部が設けられ装着具を金属薄板製にしたときに、固定具から受ける引張力を挟み込み片３５ａ１、３５ｂ１の全体により分散させると同時に矩形面３１、３３を強化して歪を防ぐことでより確実なＡＣコードの脱落を実現した。
【０１００】
ここで、屈曲棒状の係止棒１１０と押付金具１９０は容易に変形することがない強度を持つ好ましくはステンレスまたはスチールのワイヤ製であり、屈曲棒状の係止棒は１．６φ以上とし押付金具は２φ以上とすることが好ましい。押付金具の中央部１９０ｃと隣り合って直角に屈曲した夫々の側部１９０ｄとによる略コの字形のプラグ捕捉部を形成し更に延長部は一旦コの字の両外側に直角に屈曲して張出部１９０ｅ、１９０ｅを形成し、更に水平にした前述捕捉部に対し８０度乃至８５度の角度で下方向に向け縦つなぎ部１９０ｆ、１９０ｆに至り、更に直角に曲げられて側部１９０ｄに略平行状に腕部１９０ａ、１９０ａを形成し、その先端を直角に上方向に屈曲させた屈曲部が形成されている。
【０１０１】
前記プラグ捕捉部はＡＣコードのプラグの付根部４１を３方から深く囲むことができる寸法で確実にプラグ４０を捕捉している。また、側部１９０ｄと腕部１９０ａによるプラグ４０の中心を超えて往復しており押付金具１９０の腕部１９０ａが側部１９０ｄと張出部１９０ｅの連接部を支点とした梃子として作用し、また同時に相互の角度を鋭角にした側部１９０ｄと縦つなぎ部１９０ｆの構造により腕部１９０ａが強い力でインレット４０方向に押し付けられたとき前記捕捉部全体はより確実にプラグの肩部４２に押付られる。同時に、また、脚部１９０ｆと屈曲部１９０ｂは平行に成形されていて前記孔付ツマミ受金具が都合よくはめ込める。
【実施例８】
【０１０２】
次に図１２（Ａ）から図１２（Ｄ）を参照して、本発明のＡＣコード脱落防止具の実施例８について説明する。
【０１０３】
図１２（Ａ）は装着素子３０ａと３０ｂとに２分割された装着具３０とＡＣコードのプラグ４０を固定した固定具１００とで構成した本発明のＡＣコード脱落防止具の使用形態を示す斜視図であり、図１２（Ｂ）は本実施例の改良Ｅリングである軸受け補助具３７１の正面図ならびにそのＡ−Ａ’断面図である。また図１２（Ｃ）は実施例３の図７の係止孔が丸い装着具に装着して係止棒１１０の屈曲部１１０ｂを挿し込み本実施例の改良Ｅリングを装着した断面図であり、図１２（Ｄ）は実施例４の図８のように係止孔が四角の装着具に装着してワイヤー製係止棒１１０の屈曲部１１０ｂを挿し込む本実施例の改良Ｅリングを装着した断面図である。
【０１０４】
実施例８の装着具３０は実施例３の装着具に同じものである。また固定具１００を構成する要素である押付具２００は実施例４の押付金具１９０に孔付ツマミ受け金具１２０を付加して実施例７と押付金具の共用を図ったものであり、実施例７で説明したものに同じである。これらの図では、図１から図５までに示す構成要素と同じ構成要素には同じ符号が付されている。
【０１０５】
ＡＣコードのプラグ４０をインレット２０に固定してＡＣコードの脱落を防止するには、先ずＡＣプラグ４０をインレットから抜いておき、ビス１４を一端外して化粧版１３を本体から外す。続いて２つの装着素子３０ａと３０ｂの長手方向の開放両先端部を向かい合わせインレット２０の周囲部２０ｃを囲み両装着素子の鋸歯状の噛合部３５ａ２１と３５ｂ３１ならびに３５ａ３１と３５ｂ２１を夫々、その挟み込み片３５ａ１、３５ａ２、３５ａ３、３５ｂ１、３５ｂ２、３５ｂ３によって装着素子３０ａと３０ｂが化粧板１３に押さえつけられて装置１２に実装されたインレットに固定されるまで相互の連結を維持するよう噛み合わせながらインレット２０の周囲部２０ｃに密着或いはほぼ密着させ仮装着する。次に化粧板１３の開口部１５を装着具３０の板状の矩形面３１、３２ａ、３２ｂ、３３、３４ｂ、３４ａが貫通するように化粧板１３を装着具３０を仮装着したインレット２０に被せてビス１４を締め戻して装着具３０を本装着してからＡＣプラグ４０をインレット２０に挿し戻す。
【０１０６】
続いて、固定具１００の構成要素である２本の屈曲棒状の係止棒１１０の一端の屈曲部１１０ｂを装着具３０の固定具係止用の丸孔３１ａ、３３ａに夫々挿し込み、Ｅリング機能を兼ねる軸受け補助具３７１を装着具の係止孔位置に跨がせて屈曲係止棒の屈曲部１１０ｂのＥリング溝に係合して装着し係止棒１１０が装着具３０から抜け落ちるのを防止する。
【０１０７】
軸受け補助具３７１は金属薄板製の装着具３０の係止孔部分の板厚を厚くする効果があるので屈曲棒状の係止棒１１０の屈曲部１１０ｂを装着具３０に確実に垂直に係止可能にする。
【０１０８】
また係止孔が丸孔でない装着具に装着して丸孔の係止孔が必要な屈曲棒状の係止棒の係止を可能にできる。この場合固定具１００がＡＣプラグをインレット方向に押さえつける時に係止棒の屈曲部により押さえ金具方向に生じる強い力は装着具３０の係止孔が受け、軸受け補助具には加わらないため、軸受補助具は簡単な構成で薄板製とすることができる。
【０１０９】
続いてその長手方向両端付近の腕部１９０ａに丸孔が設けられたツマミ受け片１２０ｂを乗せて押さえ爪１２０ｃで下から抱きかかえるように曲げて固定した孔付ツマミ受け金具１２０を予め装着した押付金具１９０の中央部１９０ｃと隣り合う側部１９０ｄ、１９０ｄによる略コの字状に成形された部分でＡＣコードの引き出し部４１を囲むように捕捉しながら前記捕捉棒１１０の雄ネジを設けた他端先端を前記孔付ツマミ受け金具の丸孔に通して筒状ツマミをねじ込む。続いて２個の筒状ツマミ回して押付金具１９０を均等にＡＣプラグ４０方向に押し付けることで、ＡＣプラグ４０が接続されたＡＣコードは化粧板１３に何ら加工を加えることなくインレット２０からの脱落を防止できる。ＡＣプラグの形状、寸法が異なる場合は筒状ツマミを回して押付金具の位置を広範囲変えることができるので、市販されている概ねのＡＣプラグに兼用できるので従来のＡＣプラグのメーカが替わるごとに固定具を作り直して寸法を調整した脱落防止具に比較して大いに便利である。
【０１１０】
装着具３０を分割した装着素子３０ａ、３０ｂはインレット３０に装着したとき、板状の矩形面３１ａと３２ｂならびに３４ａは夫々間に空間ができる寸法に設計されているためインレット２０の寸法が異なる場合でも板状の矩形面３１、３３はインレットに密着あるいはほぼ密着させることができ、好ましくが０．５ミリメートル程度の金属薄板製とすることで装着具３０は化粧板１３とインレット２０間の化粧板の開口部設計時に考慮された寸法余裕による僅かな隙間１３ｄに実装でき、更に前記板状の矩形面の裾部に垂直に立ち上がった挟み込み部は前記隙間１３ｄを通り抜けることが不可能な寸法に設計されているため化粧板１３や装置１２は一切加工せずに装着具３０をインレット２０に固定でき、その結果ＡＣコードの脱落を防止できる。
【０１１１】
更に装着具３０は板状の矩形面３１、３３の夫々の中央部に挟み込み部の反対方向に台形状の張出部３１ｃ、３３ｃが設けられ、その両脇には矩形面から内側向きに垂直に補強部３１ｄ、３１ｄ、３３ｄ、３３ｄとして折り曲げ部が設けられ装着具を金属薄板製にしたときに、固定具から受ける引張力を挟み込み片３５ａ１、３５ｂ１の全体により分散させると同時に矩形面３１、３３を強化して歪を防ぐことでより確実なＡＣコードの脱落防止を実現した。
【０１１２】
ここで、屈曲棒状の係止棒１１０と押付金具１９０は容易に変形することがない強度を持つ好ましくはステンレスまたはスチールのワイヤ製であり、屈曲棒状の係止棒は１．６φ以上とし押付金具は２φ以上とすることが好ましい。押付金具の中央部１９０ｃと隣り合って直角に屈曲した夫々の側部１９０ｄとによる略コの字形のプラグ捕捉部を形成し更に延長部は一旦コの字の両外側に直角に屈曲して張出部１９０ｅ、１９０ｅを形成し、更に水平にした前述捕捉部に対し８０度乃至８５度の角度で下に向けて縦つなぎ部１９０ｆ、１９０ｆに至り、更に直角に曲げられて側部１９０ｄに略平行状に腕部１９０ａ、１９０ａを形成し、その先端を直角に上方向に屈曲させた屈曲部が形成されている。
【０１１３】
前記プラグ捕捉部はＡＣコードのプラグの付根部４１を３方から深く囲むことができる寸法で確実にプラグ４０を捕捉している。また、側部１９０ｄと腕部１９０ａによるプラグ４０の中心を超えて往復しており押付金具１９０の腕部１９０ａが側部１９０ｄと張出部１９０ｅの連接部を支点とした梃子として作用し、また同時に相互の角度を鋭角にした側部１９０ｄと縦つなぎ部１９０ｆの構造により腕部１９０ａが強い力でインレット４０方向に押し付けられたとき前記捕捉部全体をより確実にプラグの肩部４２に押付られる。同時に、また、脚部１９０ｆと屈曲部１９０ｂは平行に成形されていて前記孔付ツマミ受金具が都合よくはめ込める。
【符号の説明】
【０１１４】
１０  ＡＣコード脱落防止具
１２  電子機器などの本体、またはインレットを実装した部品
１３  電子機器などの本体表面に装着された化粧板、または本体装置の筐体外周材
１３ｄ  ＡＣインレットあるいはアウトレット周囲の隙間
１４  化粧板１３の止めネジ、またはインレットを実装した部品の本体装置への実装ねじ
１５  化粧版のインレット露出用孔部
１６  化粧版が覆っている（隠している）本体装置の孔など
２０  インレット
２０ａ  インレットのＡＣプラグを挿入する凹部
２０ｂ  インレットのＡＣプラグを挿入する凹部の周縁部
２０ｃ  インレットのＡＣプラグを挿入する凹部の周縁部の周辺部
２１    インレットの電極
２２ａ、２２ｂ  ビスナット
３０  装着具
３０ａ、３０ｂ  ２分割した装着具
３１，３２，３３，３４  板状部材（板状の矩形面）
３１ａ，３３ａ  係止孔
３５  挟み込み片
３７  Ｅリング
４０  ＡＣコードのプラグ
４１  ＡＣコードのプラグへの付け根
４２  ＡＣプラグの肩部
１００  固定具
１００ｂ  固定具の屈曲部
１００ｃ  （ＡＣプラグの肩に乗る）固定具の押付部の中央部
１００ｄ  （ＡＣプラグの肩に乗る）固定具の押付部の１００ｃに隣り合う部分
１００ｅ  固定具の押付部の１００ｄに隣り合う張り出し部分
１００ｆ  固定具の押付部の１００ｅに隣り合う縦つなぎ部分
１１０  屈曲係止棒
１１０ａ  屈曲係止棒雄ネジ部
１１０ｂ  屈曲係止棒屈曲部
１２０  孔付ツマミ受金具
１２０ｂ  ツマミ受け片
１２０ｃ  押さえ爪
１３０  筒状ツマミ
１８０  市販の合成樹脂製結束紐（通称タイラップまたはケーブルタイ）による締め具
１８５  合成樹脂製締め具
１８５ａ  締め具の平板状合成樹脂製係止紐
１８５ａ３  締め具の平板状合成樹脂製係止紐の鋸歯状刻み
１８５ｂ  締め具の合成樹脂製戻止付送具
１８５ｂ２  締め具の合成樹脂製戻止付送具の解除レバー
１８５ｂ３  締め具の合成樹脂製戻止付送具の送り爪
１９０  押付金具
１９０ａ  押付金具の腕部
１９０ｂ  押付金具の先端の垂直部
１９０ｂ１  押付金具の先端の孔付ツマミ受部
１９０ｃ  （ＡＣプラグの肩に乗る）押付金具の水平中央部
１９０ｄ  （ＡＣプラグの肩に乗る）押付金具の１００ｃに隣り合う水平部分
１９０ｅ  押付金具の１００ｄに隣り合う水平張出部分
１９０ｆ  押付金具の１００ｅに隣り合う縦つなぎ部分
２００  押付具
３７１  軸受け補助具（改良Ｅリング）
【図１】
2011187334.tif 000003
【図２】
2011187334.tif 000004
【図３】
2011187334.tif 000005
【図４】
2011187334.tif 000006
【図５】
2011187334.tif 000007
【図６】
2011187334.tif 000008
【図７】
2011187334.tif 000009
【図８】
2011187334.tif 000010
【図９】
2011187334.tif 000011
【図１０】
2011187334.tif 000012
【図１１】
2011187334.tif 000013
【図１２】
2011187334.tif 000014